(57)【要約】【課題】回路規模を増大させることなく、フィルタ回路を所望の特性に安定化させる【解決手段】能動フィルタ部１４は、電流制御部３０と、第１Ｇｍ−Ｃフィルタ部３２と、後段回路３４と、を含む。電流制御部３０は、中央制御部２０から出力された信号を入力として、第１Ｇｍ−Ｃフィルタ部３２に対し、それぞれのトランスコンダクタンスアンプに対応した、Ｇｍ値を調整するための調整電流を出力する。後段回路３４は、トランスコンダクタンスアンプなどの能動素子によって構成される負荷容量を含む。第１Ｇｍ−Ｃフィルタ部３２は、複数のトランスコンダクタンスアンプと、トランスコンダクタンスアンプのＧｍ値を制御する制御部とから構成され、第１フィルタ信号選択部１２から出力された信号の帯域を制限して後段回路３４に出力する。【選択図】図４
2007181008.tif 000002
【特許請求の範囲】
【請求項１】
所定の信号を入力する入力部と、
前記入力部によって所定の信号が入力される能動素子を先頭にしながら、直列に接続された複数の能動素子と、
前記複数の能動素子のうちの最後段の能動素子の出力が入力される能動素子と、
前記複数の能動素子のそれぞれの出力に設けられた複数の容量素子と、
前記複数の能動素子に対し、それぞれの能動素子に対応した調整電流を与えることによって、前記複数の能動素子の増幅率を調整する制御部と、を備え、
前記複数の能動素子のそれぞれには、当該能動素子あるいは後段の能動素子から出力された信号も入力され、
前記複数の容量素子のそれぞれの容量値の比と、前記複数の能動素子と前記最後段の能動素子の出力が入力される能動素子の素子面積とを互いに関連づけることを特徴とする能動フィルタ回路。
【請求項２】
所定の信号を入力する入力部と、
前記入力部によって所定の信号が入力される第１能動素子と、
前記第１能動素子の出力と接続された第２能動素子と、
前記第２能動素子から出力された信号が入力される第３能動素子と、
前記第１能動素子の出力とグランドとの間に設けられた第１容量素子と、
前記第２能動素子の出力とグランドとの間に設けられた第２容量素子と、
前記第１能動素子および第２能動素子に対し、それぞれの能動素子に対応した調整電流を与えることによって、前記第１能動素子および第２能動素子の増幅率を調整する制御部と、
を備え、
前記第１能動素子には、当該第１能動素子あるいは前記第２能動素子から出力された信号も入力され、
前記第２能動素子には、当該第２能動素子から出力された信号も入力され、
前記第１能動素子と第２能動素子と第３能動素子との素子面積の総和に対する前記第２能動素子の素子面積の比が、前記第２容量素子の容量値に対する第１容量素子の容量値の比と同一になるように、互いに関連づけることを特徴とする能動フィルタ回路。
【請求項３】
前記第１能動素子の出力に接続された第４能動素子をさらに備え、
前記第１能動素子と第２能動素子と第３能動素子の素子面積の総和に対する前記第２能動素子と前記第４能動素子の素子面積の総和の比が、前記第２容量素子の容量素子に対する第１容量素子の容量値の比と同一となるように、互いに関連づけることを特徴とする請求項２に記載の能動フィルタ回路。
【請求項４】
前記第２能動素子と前記第３能動素子の間に設置された第４能動素子と、
前記第４能動素子とグランドとの間に設置された第３容量素子と、をさらに備え、
前記第４能動素子には、当該第４能動素子から出力された信号も入力され、
前記第３能動素子と第４能動素子の素子面積の総和に対する前記第２能動素子の素子面積の比が、前記第３容量素子の容量値に対する前記第１容量素子の容量値の比と同一になるように互いに関連づけ、かつ、前記第１能動素子と第２能動素子と第４能動素子の素子面積の総和に対する前記第２能動素子の素子面積の比が、前記第２容量素子の容量値に対する前記第１容量素子の容量値の比と同一になるように互いに関連づけることを特徴とする請求項２に記載の能動フィルタ回路。
【請求項５】
前記第２能動素子の出力に接続された第４能動素子と、
前記第４能動素子と前記第３能動素子の間に設置された第５能動素子と、
前記第４能動素子とグランドとの間に設置された第３容量素子と、
前記第５能動素子とグランドとの間に設置された第４容量素子と、
をさらに備え、
前記第４能動素子には、当該第４能動素子あるいは前記第５能動素子から出力された信号も入力され、
前記第５能動素子には、当該第５能動素子から出力された信号も入力され、
前記第５能動素子の素子面積に対する第２能動素子の素子面積の比が、前記第３容量素子の容量値に対する前記第１容量素子の容量値の比と同一になるように互いに関連づけ、かつ、前記第３能動素子と第４能動素子と第５能動素子の素子面積の総和と前記第２能動素子の素子面積の比が、前記第４容量素子の容量値に対する前記第１容量素子の容量値の比と同一になるように互いに関連づけ、さらに、前記第１能動素子と第２能動素子と第４能動素子の素子面積の総和に対する前記第２能動素子の素子面積の比が、前記第２容量素子の容量値に対する前記第１容量素子の容量値の比と同一になるように互いに関連づけることを特徴とする請求項２に記載の能動フィルタ回路。
【請求項６】
前記能動素子は、トランスコンダクタンスアンプであることを特徴とする請求項１から５のいずれかに記載の能動フィルタ回路。
【発明の詳細な説明】
【技術分野】
【０００１】
本発明は、アナログ回路技術に関し、特に、入力信号の帯域を制限するフィルタ回路に関する。
【背景技術】
【０００２】
近年、通信装置に搭載されるベースバンドフィルタとして、高周波特性が優れており、広帯域なフィルタ特性を有するＧｍ−Ｃフィルタが用いられている。Ｇｍ−Ｃフィルタは、Ｇｍアンプと容量素子とから構成され、Ｇｍアンプの増幅率（以下、Ｇｍ値と表記する。）と容量値との比率により、フィルタ特性が決定される。ここで、Ｇｍアンプは、製造偏差がおおきいため、高精度なフィルタ特性を実現するためには、Ｇｍ値を制御する必要があった。この課題に対し、従来は、Ｇｍアンプを構成するＭＯＳトランジスタのゲート幅とゲート長との比を調整することでＧｍアンプのＧｍ値を制御していた（たとえば、特許文献１参照）。
【特許文献１】特開２００５−２２３１４８号公報
【発明の開示】
【発明が解決しようとする課題】
【０００３】
本発明者はこうした状況下、以下の課題を認識するに至った。すなわち、ＭＯＳトランジスタのゲート幅とゲート長を制御することによって、ＭＯＳトランジスタの寄生容量も比例して増加し、これにより、所望のフィルタ特性を安定的に実現することが難しいといった課題である。
【０００４】
本発明はこうした状況に鑑みてなされたものであり、その目的は、回路規模を増大させることなく、安定的に所望のフィルタ特性を実現するフィルタ回路を提供することにある。
【課題を解決するための手段】
【０００５】
上記課題を解決するために、本発明のある態様の能動フィルタ回路は、所定の信号を入力する入力部と、入力部によって所定の信号が入力される能動素子を先頭にしながら、直列に接続された複数の能動素子と、複数の能動素子のうちの最後段の能動素子の出力が入力される能動素子と、複数の能動素子のそれぞれの出力に設けられた複数の容量素子と、複数の能動素子に対し、それぞれの能動素子に対応した調整電流を与えることによって、複数の能動素子の増幅率を調整する制御部と、を備える。複数の能動素子のそれぞれには、当該能動素子あるいは後段の能動素子から出力された信号も入力され、複数の容量素子のそれぞれの容量値の比と、複数の能動素子と最後段の能動素子の出力が入力される能動素子の素子面積とを互いに関連づける。
【０００６】
ここで、「能動素子」とは、トランジスタを含み、たとえば、複数のトランジスタから構成されるトランスコンダクタンスアンプなどを含む。また、「複数の能動素子のそれぞれの出力に設けられた複数の容量素子」とは、それぞれの能動素子の出力端に容量素子が配置されていることを含み、能動素子の出力端とグランドとの間に容量素子が配置されていてもよい。また、「最後段の能動素子の出力が入力される能動素子」とは、最後段の能動素子の負荷容量としてのトランジスタを含む。また、「能動素子の素子面積」とは、たとえば、トランスコンダクタンスアンプの入力端子のゲート面積などを含む。この態様によると、ゲート容量の面積をフィルタの各容量値の比率と一定にすることで、容量素子の寄生容量を含めた容量値を一定に保つことができる。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、回路規模を増大させることなく、安定的に所望の特性を有するフィルタ回路を実現できる。
【発明を実施するための最良の形態】
【０００９】
本発明の実施形態を具体的に説明する前に、まず、本発明の実施形態の概要について述べる。本発明の実施形態にかかる通信装置１００は、フィルタ特性を能動的に調整できるフィルタ回路を有している。「能動的に調整」とは、たとえば、通信装置の電源投入時や、通信装置の使用環境、とくに温度環境の変化した場合において、自動的に、フィルタ特性を調整することなどを含む。フィルタ特性の調整においては、まず、ＰＬＬ（Ｐｈａｓｅ  Ｌｏｃｋ  Ｌｏｏｐ）によって生成された複数の調整信号を順に切替えて、それぞれの信号強度の減衰量を測定し、それらの差分を計算する。さらに、計算された差分からフィルタ回路のカットオフ周波数を推定し、所望のカットオフ周波数との周波数ずれを検出し、フィルタ特性を調整する。詳細は後述する。
【００１０】
図１は、本発明の実施形態にかかる通信装置１００の構成例を示す図である。図１に示す通信装置１００は、受信部１０と、第１フィルタ信号選択部１２と、能動フィルタ部１４と、第２フィルタ信号選択部１６と、復調部１８と、中央制御部２０と、周波数発振部２２と、調整信号生成部２４と、状態検知部２６とを含む。
【００１１】
周波数発振部２２は、所定の周波数信号を発生し、受信部１０と調整信号生成部２４に出力する。受信部１０は、通信装置１００との間で通信を実行している相手から送信された信号を受信する。また、受信部１０は、受信した信号に対し、図示しないＩＦフィルタ、増幅器などによって、帯域制限処理や増幅処理などを実行する。また、図示しないミキサにおいて、周波数発振部２２から出力された周波数信号と受信信号とを重畳することによってダウンコンバートし、第１フィルタ信号選択部１２に出力する。
【００１２】
調整信号生成部２４は、図示しない複数の分周器を含む。周波数発振部２２から出力された周波数信号を入力として、複数の分周器を介して、それぞれ異なる周波数を有する信号（以下、「調整信号」と表記する。）を生成する。「それぞれ異なる周波数を有する信号」は、能動フィルタ部１４が有すべきカットオフ周波数より大きい周波数を有する信号や、カットオフ周波数と同一の周波数を有する信号、または、カットオフ周波数より小さい周波数を有する信号などを含む。調整信号生成部２４は、さらに、図示しない調整信号選択部を含み、後述する中央制御部２０によって指示された調整信号を選択し、第１フィルタ信号選択部１２に出力する。
【００１３】
第１フィルタ信号選択部１２は、後述する中央制御部２０による指示にしたがって、受信部１０から出力された信号と、調整信号生成部２４から出力された調整信号とのうち、いずれか一方の選択された信号を能動フィルタ部１４に出力する。能動フィルタ部１４は、第１フィルタ信号選択部１２から出力された信号に対して、帯域制限処理などのフィルタ処理を実行して、第２フィルタ信号選択部１６に出力する。また、能動フィルタ部１４は、後述する中央制御部２０から出力されたフィルタ特性を調整するための信号にもとづいて、フィルタ特性を調整する。詳細は後述する。第２フィルタ信号選択部１６は、後述する中央制御部２０から指示された信号にもとづき、能動フィルタ部１４から出力された信号を、復調部１８もしくは中央制御部２０に出力する。
【００１４】
中央制御部２０は、第１フィルタ信号選択部１２と第２フィルタ信号選択部１６に対して、選択信号を通知する。たとえば、当該通信装置１００の電源を投入した際、もしくは、通信装置１００の使用環境、とくに温度環境の変化した場合において、中央制御部２０は、第１フィルタ信号選択部１２に対して、調整信号生成部２４から出力された信号を能動フィルタ部１４に出力させるための選択信号を通知する。また、第２フィルタ信号選択部１６に対して、能動フィルタ部１４から出力された信号を中央制御部２０に出力させるための選択信号を通知する。ここで、「当該通信装置１００の電源を投入した際、もしくは、通信装置１００の使用環境、とくに温度環境の変化した場合」は、通信装置１００の状態を管理する状態検知部２６などによって判別され、中央制御部２０に通知されてもよい。この場合、状態検知部２６は、通信装置１００の温度を測定する機構を有し、定期的に温度を測定し、測定した温度を中央制御部２０に通知すればよい。また、測定された温度の区間平均値や移動平均値を通知してもよい。また、測定した温度、もしくは、平均値等としきい値とを比較し、温度が変化した場合にのみその旨を示す信号を中央制御部２０に通知してもよい。なお、状態検知部２６は、中央制御部２０と一体化されていてもよい。
【００１５】
なお、「当該通信装置１００の電源を投入した際、もしくは、通信装置１００の使用環境、とくに温度環境の変化した場合」以外の場合、中央制御部２０は、第１フィルタ信号選択部１２に対して、受信部１０から出力された信号を能動フィルタ部１４に出力させるための信号を通知する。また、中央制御部２０は、第２フィルタ信号選択部１６に対して、能動フィルタ部１４から出力された信号を復調部１８に出力させるための信号を通知する。以下の説明においては、「当該通信装置１００の電源を投入した際、もしくは、通信装置１００の使用環境、とくに温度環境の変化した場合」について説明する。
【００１６】
中央制御部２０は、調整信号生成部２４において生成された調整信号のうち、いずれかの調整信号を選択させるための指示を調整信号生成部２４に通知する。つぎに、中央制御部２０は、第１フィルタ信号選択部１２、能動フィルタ部１４、および、第２フィルタ信号選択部１６を介して出力された調整信号の信号強度を測定し、減衰量を導出する。「減衰量」とは、能動フィルタ部１４においてフィルタ処理される前の調整信号の信号強度と、能動フィルタ部１４においてフィルタ処理された後の信号強度との比を含み、また、差分なども含む。また、中央制御部２０は、その差分から能動フィルタ部１４のカットオフ周波数を推定する。さらに、推定されたカットオフ周波数と、能動フィルタ部１４が有すべき所望のカットオフ周波数との差分を求め、フィルタ特性を調整する。詳細は後述する。
【００１７】
図２は、図１の中央制御部２０の構成例を示す図である。中央制御部２０は、信号強度測定部５０と、フィルタ特性調整部５２と、フィルタ信号選択指示部５６と、調整信号選択指示部５８と、調整指示部６０を含む。また、フィルタ特性調整部５２は、導出部８０と、推定部８２と、選択制御部８４とを含む。中央制御部２０は、状態検知部２６からの指示にもとづき、動作を開始する。具体的には、選択制御部８４が、フィルタ信号選択指示部５６に対し、受信信号ではなく調整信号を対象として能動フィルタ部１４にフィルタ処理をさせるような選択信号を通知させる。
【００１８】
信号強度測定部５０は、第２フィルタ信号選択部１６から出力された調整信号の信号強度を測定する。また、能動フィルタ部１４によるフィルタ処理が実行される前の信号の信号強度を測定する。ここで、信号強度とは、信号の大きさを表す指標であればよく、たとえば、ＲＳＳＩ（Ｒｅｃｅｉｖｅｄ  Ｓｉｇｎａｌ  Ｓｔｒｅｎｇｔｈ  Ｉｎｄｉｃａｔｏｒ）であってもよく、また、ＳＮＲ（Ｓｉｇｎａｌ  ｔｏ  Ｎｏｉｓｅ  Ｒａｔｉｏ）などであってもよい。
【００１９】
導出部８０は、信号強度測定部５０によって測定された、能動フィルタ部１４によってフィルタ処理が実行される前の調整信号の信号強度から、フィルタ処理が実行された後の複数の信号強度をそれぞれ減じることによって、それぞれの信号強度の減衰量を導出する。ここで、メモリ等に予め記憶された減衰量の差分に関するしきい値と、調整信号ごとに導出された減衰量の差分とを比較し、差分がそのしきい値より小さい場合、すなわち、カットオフ周波数を正確に推定することが困難と判断されるような状態の場合、選択制御部８４は、調整信号選択指示部５８に対して、別の調整信号を生成させるための選択信号を調整信号生成部２４に通知させる。以後、調整信号の信号強度の差分が所定のしきい値より大きくなるまで同様の処理を繰り返す。
【００２０】
また、導出部８０は、能動フィルタ部１４における減衰量の差異（以下、「現実の差異」と表記する。）と、所望のカットオフ周波数を有する思想的なフィルタにおける減衰量の差異（以下、「理想的な差異」と表記する。）とを比較する。比較した結果、「現実の差異」が許容範囲内であるか判断する。許容範囲内とは、「理想的な差異」に所定の第１許容誤差量を加算した値を上限とし、また、「理想的な差異」に所定の第２許容誤差量を減じた値を下限とする範囲をいう。ここで、減衰量の差異が許容範囲内であった場合、選択制御部８４は、第１フィルタ信号選択部１２、および、第２フィルタ信号選択部１６に、受信部１０から出力された受信信号を能動フィルタ部１４、および、復調部１８に出力させるための選択信号をフィルタ信号選択指示部５６に出力させる。
【００２１】
ここで、選択制御部８４における調整信号の選択の順序は、任意の順序でよい。また、周波数の高い方、もしくは、低い方から順に選択されてもよい。また、直近の過去において使用された調整信号を優先的に選択してもよい。また、選択制御部８４おける「別の調整信号」の選択は、すでに選択した調整信号の周波数と比べ、所望のカットオフ周波数により近づくような調整信号を選択してもよい。
【００２２】
推定部８２は、導出部８０によって導出されたそれぞれの信号強度の減衰量の差分に応じて、帯域制限フィルタ部のカットオフ周波数を推定する。さらに、調整指示部６０は、推定されたカットオフ周波数と、能動フィルタ部１４が有すべき所望のカットオフ周波数との差分を求め、フィルタ特性を調整する。
【００２３】
ここで、能動フィルタ部１４が低域通過フィルタ（ＬｏｗＰａｓｓＦｉｌｔｅｒ）である場合におけるフィルタ特性調整部５２の動作について、図３（ａ）、（ｂ）を用いて説明を行う。図３（ａ）、（ｂ）は、それぞれ、図１の能動フィルタ部１４のフィルタ特性の例を示す図である。なお、図３（ａ）、（ｂ）において、縦軸は出力信号の振幅（利得）、横軸は規格化周波数を示す。
【００２４】
図３（ａ）は、能動フィルタ部１４のフィルタ次数をn、カットオフ周波数をｆｃとしたときのフィルタ特性を示す。また、図３（ａ）に示す特性は、式（１）のように表される。ここで、αは利得を示す。なお、αは０または負の値を有する。いいかえると、αの絶対値は、減衰量を示す。
【数１】
2007181008.tif 000003
【００２５】
ここで、複数の調整信号のそれぞれの周波数として、６０ＭＨｚ、１２０ＭＨｚ、２４０ＭＨｚ、４８０ＭＨｚの４つを用いたと仮定する。また、ｎ＝４と仮定する。そうすると、各調整信号を能動フィルタ部１４に入力したときのｆｃ＝２４０ＭＨｚにおける理想的な利得は、それぞれ、−０．０１６９、−０．２６３ｄＢ、−３．０１ｄＢ、−１２．３ｄＢとなる。
【００２６】
また、図３（ａ）および式（３）は、カットオフ周波数ｆｃにおいては、フィルタ次数ｎによらず、約３dBの減衰量を有することを示している。いいかえると、カットオフ周波数においては、フィルタから出力される信号の振幅は、フィルタ入力前と比べ、おおむね半分となる。また、カットオフ周波数以上の周波数においては、周波数が大きくなるにつれて、ｌｏｇスケールでほぼ直線的に減衰量が増大する。また、周波数がカットオフ周波数ｆｃに対して充分低いか、もしくは、フィルタ次数ｎが充分大きければ、減衰量αはほとんど０となる。
【００２７】
したがって、所望のカットオフ周波数ｆｃと同一の周波数を有する調整信号を能動フィルタ部１４に入力した場合に、減衰量が３ｄＢ以上であれば、能動フィルタ部１４におけるカットオフ周波数ｆｃ’が所望のカットオフ周波数ｆｃに対して低くなっていると判断できる。一方、減衰量が３ｄＢ以下であれば、カットオフ周波数ｆｃ’が所望のカットオフ周波数ｆｃに対して高くなっていると判断できることとなる。
【００２８】
次に、図３（ｂ）を用いて、能動フィルタ部１４のカットオフ周波数と所望のカットオフ周波数との周波数ずれを判定する具体例を示す。図３（ｂ）においては、能動フィルタ部１４が所望のカットオフ周波数を有する場合のフィルタ特性を実線で示し、また、能動フィルタ部１４におけるフィルタ特性例を破線で示した。ここで、所望のカットオフ周波数をｆｃ＝２４０ＭＨｚ、フィルタ次数をｎ＝４と仮定する。
【００２９】
ここで、ｆ０（＝ｆｃ）と、ｆ１の周波数をそれぞれ有する調整信号を所望のカットオフ周波数を有する能動フィルタ部１４に入力したと仮定する。そうすると、導出部８０は、ｆ０に関する調整信号について、αｆ０＝３ｄＢを減衰量として導出する。また、導出部８０は、ｆ１に関する調整信号について、減衰量αｆ１を導出する。たとえば、ｆ０＝２４０ＭＨｚ、ｆ１＝４８０Ｈｚと仮定した場合、減衰量の差は、次式で表される。
αｆ１−αｆ０  ＝  １２．３−３．０１  ＝  ９．２９  ・・・式（２）
【００３０】
一方、ｆ０（＝ｆｃ）と、ｆ１の周波数をそれぞれ有する調整信号をカットオフ周波数ｆｃ’を有する能動フィルタ部１４に入力した場合、導出部８０は、ｆ０に関する調整信号について減衰量α’ｆ０、ｆ１に関する調整信号についてα’ｆ１を導出する。ここで、α’ｆ０とα’ｆ１の差は次式で表され、ｆｃ’について解くことによって、所望のカット周波数との差異を導出できることとなる。
【数２】
2007181008.tif 000004
【００３１】
なお、ｆｃ＝ｆｃ’であれば、すなわち、式（２）と式（３）とで計算される減衰量の差異が同一であれば、能動フィルタ部１４は所望のフィルタ特性をすでに有しているといえるので、このような場合、推定部８２は、フィルタ特性の調整を調整指示部６０に指示しない。また、誤差としてαを許容量とした場合、すなわち、ｆｃ＝ｆｃ’±αの場合も同様である。このような場合、選択制御部８４は、フィルタ調整をする必要がない、もしくは、すでにフィルタ調整が完了したとして、第１フィルタ信号選択部１２、および、第２フィルタ信号選択部１６に対し、受信部１０から出力された受信信号を能動フィルタ部１４、および、復調部１８に出力させるための選択信号をフィルタ信号選択指示部５６に指示させる。
【００３２】
なお、前述した「調整信号ごとに導出された減衰量の差分が所定のしきい値より小さい場合、カットオフ周波数を正確に推定することが困難と判断されるような場合」とは、導出部８０において導出した減衰量の差が０に近い場合をいう。たとえば、２つの調整信号の周波数がｆ０とｆ１の場合に、能動フィルタ部１４のカットオフ周波数ｆｃ’が双方と大きく異なる場合、減衰量の差は０に近くなる。このような状態は、能動フィルタ部１４の通過域にｆ０とｆ１の双方が存在する場合や、阻止域にｆ０とｆ１の双方が存在する場合などにおいて発生する。
【００３３】
このような場合、減衰量の差が大きくなるような周波数を有する調整信号を用いればよい。能動フィルタ部１４のカットオフ周波数ｆｃ’が一方の調整信号の周波数以上であり、かつ、他方の調整信号の周波数より小さい場合、減衰量の差は、他の場合と比べて大きくなるため、このような調整信号を選択するように選択制御部８４が動作することが望ましいといえる。以上によりｆｃ’を精度よく求めることができ、これを基に、調整指示部６０は、能動フィルタ部１４のフィルタ特性を調整する。
【００３４】
なお、上述の説明においては、実際の回路においては固定的な損失ないしは利得を含んでいる可能性があるため、より正確にカットオフ周波数を推定するために、２つの調整信号の減衰量の差分を基にして推定するとした。しかしながらこれにかぎらず、１つの調整信号だけを用いてｆｃ’を推定してもよい。この場合、次式をｆｃ’について解けばよい。
【数３】
2007181008.tif 000005
【００３５】
ここで、能動フィルタ部１４がＧｍ−Ｃフィルタの場合におけるフィルタ特性の調整について説明する。Ｇｍ−Ｃフィルタにおいては、搭載される増幅器、たとえば、トランスコンダクタンスアンプの動作電流を変化させることで、Ｇｍ値を調整し、もって、所望のカットオフ周波数に調整する。なお、Ｇｍ−Ｃフィルタにおいては、Ｇｍ値や容量Ｃの容量値が±１０％程度のばらつきを有する場合があり、カットオフ周波数が変動する。
【００３６】
図４は、図１の能動フィルタ部１４の構成例を示す図である。能動フィルタ部１４は、電流制御部３０と、第１Ｇｍ−Ｃフィルタ部３２と、後段回路３４と、を含む。電流制御部３０は、中央制御部２０から出力された信号を入力として、第１Ｇｍ−Ｃフィルタ部３２に対し、それぞれのトランスコンダクタンスアンプに対応した、Ｇｍ値を調整するための調整電流を出力する。第１Ｇｍ−Ｃフィルタ部３２に複数のトランスコンダクタンスアンプが含まれる場合は、それぞれのトランスコンダクタンスアンプに応じた調整電流を与えればよい。後段回路３４は、トランスコンダクタンスアンプなどの能動素子によって構成される負荷容量を含む。また、後段回路３４は、負荷容量として用いることができる回路であれば、バッファ回路、増幅回路、レベルシフタ回路、フィルタ回路などであってもよく、どのような機能を有していてもよい。以下においては、説明を簡易とするために、能動素子をトランスコンダクタンスアンプとして説明するが、本発明は、それに限定されるものではない。
【００３７】
第１Ｇｍ−Ｃフィルタ部３２は、複数のトランスコンダクタンスアンプと、トランスコンダクタンスアンプのＧｍ値を制御する制御部とから構成され、第１フィルタ信号選択部１２から出力された信号の帯域を制限して後段回路３４に出力する。詳細は後述するが、本発明の実施形態にかかる能動フィルタ部１４においては、それぞれの容量素子の容量値と、トランスコンダクタンスアンプのゲートサイズとを関係づけながら設計される。これにより、トランスコンダクタンスアンプの寄生容量の影響が大きい場合であっても、能動素子のＧｍ値を一定の割合で調整することによって、所望のフィルタ特性が実現できる。
【００３８】
図５（ａ）〜図５（ｃ）は、図４の第１Ｇｍ−Ｃフィルタ部３２の構成例を示す図である。図５（ａ）に示す第１Ｇｍ−Ｃフィルタ部３２は、第１トランスコンダクタンスアンプ３６と、第２トランスコンダクタンスアンプ３８と、第１容量素子４０と、第２容量素子４２とを含む２次のＬＰＦ（Ｌｏｗ  Ｐａｓｓ  Ｆｉｌｔｅｒ）である。第１トランスコンダクタンスアンプ３６は、第１フィルタ信号選択部１２によって帯域制限すべき信号が入力される。また、第１トランスコンダクタンスアンプ３６は、第２トランスコンダクタンスアンプ３８から出力された信号も入力される。第２トランスコンダクタンスアンプ３８は、第１トランスコンダクタンスアンプ３６の出力と接続される。また、第２トランスコンダクタンスアンプ３８は、当該第２トランスコンダクタンスアンプ３８から出力された信号も入力される。第１容量素子４０は、第１トランスコンダクタンスアンプ３６の出力とグランドとの間に設けられる。また、第２容量素子４２は、第２トランスコンダクタンスアンプ３８の出力とグランドとの間に設けられる。ここで、第１トランスコンダクタンスアンプ３６と第２トランスコンダクタンスアンプ３８と第３トランスコンダクタンスアンプとの素子面積の総和に対する第２トランスコンダクタンスアンプ３８の素子面積の比が、第２容量素子４２の容量値に対する第１容量素子４０の容量値の比と同一になるように、互いに関連づけられる。なお、「トランスコンダクタンスアンプの素子面積」とは、入力端子のゲート面積などを含む。
【００３９】
具体的に説明する。図５（ａ）に示す第１Ｇｍ−Ｃフィルタ部３２の伝達関数は、次式で表される。
【数４】
2007181008.tif 000006
【００４０】
ここで、ｇｍ１、ｇｍ２は、第１トランスコンダクタンスアンプ３６、第２トランスコンダクタンスアンプ３８のそれぞれの電流増幅率を示す。また、Ｃ１、Ｃ２は、第１容量素子４０、第２容量素子４２のそれぞれの容量値を示す。また、式（６）および式（７）のω０、Ｑは、所望のフィルタ特性を決定する指標となる。
【００４１】
ここで、第１トランスコンダクタンスアンプ３６のゲート容量をＣ１’とし、また、第２トランスコンダクタンスアンプ３８のゲート容量をＣ２’とする。ゲート容量とは、ＭＯＳトランジスタに寄生する容量を含む。ここで、第１トランスコンダクタンスアンプ３６の素子面積Ｓ１と、第２トランスコンダクタンスアンプ３８の素子面積Ｓ２と、後段回路３４の内部に設置された図示しない第３トランスコンダクタンスアンプの素子面積Ｓ３を次式のように関連づける。
Ｓ１＋Ｓ２＋Ｓ３＝ｋ・Ｓ２  ・・・式（８）
【００４２】
なお、上式より、
Ｓ１＋Ｓ３＝（ｋ−１）・Ｓ２  ・・・式（９）
となるため、ｋ＞１が条件となる。
【００４３】
また、第１トランスコンダクタンスアンプ３６、第２トランスコンダクタンスアンプ３８、第３トランスコンダクタンスアンプのゲート容量はゲート面積に比例する。ここで、各トランスコンダクタンスアンプの入力トランジスタの単位面積あたりのゲート容量値をＣと仮定した場合、式（８）は、
Ｃ・Ｓ１＋Ｃ・Ｓ２＋Ｃ・Ｓ３＝ｋ・Ｃ・Ｓ２  ・・・式（１０）
となる。ここで、第１トランスコンダクタンスアンプ３６、第２トランスコンダクタンスアンプ３８のそれぞれの出力端における容量値Ｃ１’，Ｃ２’は、次式のように表せる。
Ｃ１’＝Ｃ１＋Ｃ・Ｓ２  ・・・式（１１）
Ｃ２’＝Ｃ２＋Ｃ・Ｓ１＋Ｃ・Ｓ２＋Ｃ・Ｓ３  ・・・式（１２）
【００４４】
ここで、Ｃ２＝ｋ・Ｃ１と仮定し、式（１０）に式（１２）を代入すると、Ｃ２’は、以下のように表される。
Ｃ２’＝ｋ・Ｃ１＋ｋ・Ｃ・Ｓ２
＝ｋ・（Ｃ１＋Ｃ・Ｓ２）  ・・・式（１３）
すなわち、Ｃ２’＝ｋ・Ｃ１’となり、入力ゲート容量を考慮してもＣ２とＣ１における比率と同等になる。
【００４５】
容量値が同等となることから、ゲート容量による容量の増加率をｘ倍とすれば、
Ｃ１’＝ｘ・Ｃ１  ・・・式（１４）
Ｃ２’＝ｘ・Ｃ２  ・・・式（１５）
となる。そうすると、ｇｍ１とｇｍ２をｘ倍することによって、式（６）式（７）のω０、Ｑは変化せず、所望のフィルタ特性に調整できる。いいかえると、あらかじめ、各トランスコンダクタンスアンプの入力ゲート面積と、容量素子の容量値とを前述のように関連づけて設定し、Ｇｍ値を調整することによって、フィルタの特性はゲート容量による寄生容量に影響を受けなくなる。さらに、フィルタの特性がゲート容量に影響されないため、ｇｍ値を制御することにより、式（６）、式（７）の調整が可能となり、もって、フィルタ特性の正確な調整ができる。
【００４６】
ここで、第１トランスコンダクタンスアンプ３６、第２トランスコンダクタンスアンプ３８がＭＯＳトランジスタである場合の調整について説明する。ＭＯＳトランジスタのｇｍ値は、ＳＱＲＴ（Ｉｄ・Ｗ／Ｌ）に比例する。ここで、Ｉｄはドレイン電流、Ｗはゲート幅、Ｌはゲート長を示す。また、ＳＱＲＴ（Ｘ）とは、Ｘの平方根を計算する関数を示す。したがって、電流制御部３０は、調整すべきトランスコンダクタンスアンプのドレイン電流Ｉｄをそのトランスコンダクタンスアンプに与えることによって、ｇｍ値を制御し、もって、フィルタ特性を調整できる。
【００４７】
図５（ｂ）に示す第１Ｇｍ−Ｃフィルタ部３２は、図５（ａ）に示す第１Ｇｍ−Ｃフィルタ部３２に、第４トランスコンダクタンスアンプ６２と、第３容量素子６４とが追加された構成であり、３次のＬＰＦである。第４トランスコンダクタンスアンプ６２は、第２トランスコンダクタンスアンプ３８と第３トランスコンダクタンスアンプの間に設置される。また、第４トランスコンダクタンスアンプ６２は、当該第４トランスコンダクタンスアンプ６２から出力された信号も入力される。第３容量素子６４は、第４トランスコンダクタンスアンプ６２とグランドとの間に設置される。
【００４８】
また、第３トランスコンダクタンスアンプと第４トランスコンダクタンスアンプ６２の素子面積の総和に対する第２トランスコンダクタンスアンプ３８の素子面積の比が、第３容量素子６４の容量値に対する第１容量素子４０の容量値の比と同一になるように互いに関連づけ、かつ、第１トランスコンダクタンスアンプ３６と第２トランスコンダクタンスアンプ３８と第４トランスコンダクタンスアンプ６２の素子面積の総和に対する第２トランスコンダクタンスアンプ３８の素子面積の比が、第２容量素子４２の容量値に対する第１容量素子４０の容量値の比と同一になるように互いに関連づける。すなわち、次式のような関係とすればよい。
Ｃ１：Ｃ２：Ｃ３＝１：ｋ２：ｋ３  ・・・式（１６）
Ｓ１＋Ｓ２＋Ｓ４＝ｋ２・Ｓ２  ・・・式（１７）
Ｓ３＋Ｓ４＝ｋ３・Ｓ２  ・・・式（１８）
【００４９】
このような態様をとることにより、フィルタの特性はゲート容量による寄生容量に影響されず、また、ｇｍ値の調整によって、フィルタ特性の調整ができることとなる。
【００５０】
図５（ｃ）は、図５（ｂ）に示す第１Ｇｍ−Ｃフィルタ部３２に、第５トランスコンダクタンスアンプ６６と、第４容量素子６８とが追加された構成であり、４次のＬＰＦである。ここで、第４トランスコンダクタンスアンプ６２は、第２トランスコンダクタンスアンプ３８の出力に接続される。また、第５トランスコンダクタンスアンプ６６は、第４トランスコンダクタンスアンプ６２と第３トランスコンダクタンスアンプの間に設置される。また、第３容量素子６４は、第４トランスコンダクタンスアンプ６２とグランドとの間に設置される。また、第４容量素子６８は、第５トランスコンダクタンスアンプ６６とグランドとの間に設置される。ここで、第４トランスコンダクタンスアンプ６２は、当該第４トランスコンダクタンスアンプ６２あるいは第５トランスコンダクタンスアンプ６６から出力された信号も入力される。また、第５トランスコンダクタンスアンプ６６は、当該第５トランスコンダクタンスアンプ６６から出力された信号も入力される。
【００５１】
第５トランスコンダクタンスアンプ６６の素子面積に対する第２トランスコンダクタンスアンプ３８の素子面積の比が、第３容量素子６４の容量値に対する第１容量素子４０の容量値の比と同一になるように互いに関連づける。さらに、第３トランスコンダクタンスアンプと第４トランスコンダクタンスアンプ６２と第５トランスコンダクタンスアンプ６６の素子面積の総和と第２トランスコンダクタンスアンプ３８の素子面積の比が、第４容量素子６８の容量値に対する第１容量素子４０の容量値の比と同一になるように互いに関連づける。さらに、第１トランスコンダクタンスアンプ３６と第２トランスコンダクタンスアンプ３８と第４トランスコンダクタンスアンプ６２の素子面積の総和に対する第２トランスコンダクタンスアンプ３８の素子面積の比が、第２容量素子４２の容量値に対する第１容量素子４０の容量値の比と同一になるように互いに関連づける。すなわち、次式のような関係とすればよい。
Ｃ１：Ｃ２：Ｃ３：Ｃ４＝１：ｋ２：ｋ３：ｋ４  ・・・式（１９）
Ｓ１＋Ｓ２＋Ｓ４＝ｋ２・Ｓ２  ・・・式（２０）
Ｓ５＝ｋ３・Ｓ２  ・・・式（２１）
Ｓ３＋Ｓ４＋Ｓ５＝ｋ４・Ｓ２  ・・・式（２２）
【００５２】
このような態様をとることにより、フィルタの特性はゲート容量による寄生容量に影響されず、また、ｇｍ値の調整によって、フィルタ特性の調整ができることとなる。
【００５３】
図６は、図４の能動フィルタ部１４の変形例を示す図である。能動フィルタ部１４は、第２Ｇｍ−Ｃフィルタ部４４と、負荷調整部４６と、後段回路３４と、電流制御部３０とを含む。負荷調整部４６は、図示しない第４トランスコンダクタンスアンプを含む。ここで、後段回路３４は、図示しない第３トランスコンダクタンスアンプを含む。また、負荷調整部４６は、図示しない第４トランスコンダクタンスアンプを含む。
【００５４】
図７は、図６の第２Ｇｍ−Ｃフィルタ部４４の構成例を示す図である。図７に示す第２Ｇｍ−Ｃフィルタ部４４は、図５（ａ）に示す第１Ｇｍ−Ｃフィルタ部３２の構成とほぼ同じである。図５（ａ）に示す第１Ｇｍ−Ｃフィルタ部３２との違いは、第４トランスコンダクタンスアンプが第１トランスコンダクタンスアンプ３６の出力に接続される点である。ここで、第１トランスコンダクタンスアンプ３６と第２トランスコンダクタンスアンプ３８と第３トランスコンダクタンスアンプの素子面積の総和に対する第２トランスコンダクタンスアンプ３８と第４トランスコンダクタンスアンプ６２の素子面積の総和の比が、第２容量素子４２の容量素子に対する第１容量素子４０の容量値の比と同一となるように、互いに関連づける。すなわち、次式のような関係となる。
Ｃ１：Ｃ２＝１：ｋ  ・・・式（２３）
Ｓ１＋Ｓ２＋Ｓ３＝ｋ・（Ｓ２＋Ｓ４）  ・・・式（２４）
【００５５】
この場合、Ｓ４のゲート容量が存在するため、ｋが０より大きければ、１以下であっても構わない。これにより、素子面積の自由度が高くなる。たとえば、ｋを小さくして、Ｃ１の容量比率を大きくした場合や、Ｓ２を小さくし、Ｓ４を付加することによって、Ｃ１に接続される容量を大きく調整することができる。
【００５６】
このような態様をとることにより、フィルタの特性はゲート容量による寄生容量に影響されず、また、ｇｍ値の調整によって、フィルタ特性の調整ができることとなる。また、第４トランスコンダクタンスアンプ６２をダミーの容量として設置することによって、各トランスコンダクタンスアンプの素子面積と容量素子の容量値との設計自由度を向上できる。
【００５７】
図８は、図４の能動フィルタ部１４の別の変形例を示す図である。能動フィルタ部１４は、第１Ｇｍ−Ｃフィルタ部３２と、後段回路３４とを含む。第１Ｇｍ−Ｃフィルタ部３２は、第６トランスコンダクタンスアンプ７０と、第７トランスコンダクタンスアンプ７２と、第８トランスコンダクタンスアンプ７４と、第９トランスコンダクタンスアンプ７６と、第５容量素子７８と、第６容量素子８６とを含む。後段回路３４は、第１０トランスコンダクタンスアンプ９０と、第１１トランスコンダクタンスアンプ９２と、信号選択部９４とを含む。なお、図５においては、図１の中央制御部２０に相当するブロックを省略している。
【００５８】
信号選択部９４は、図示しない管理部などの指示にしたがって、第１０トランスコンダクタンスアンプ９０より出力された信号と、第１１トランスコンダクタンスアンプ９２より出力された信号のいずれかを選択して、出力する。ここで、第１１トランスコンダクタンスアンプ９２に入力される信号は、第１フィルタ信号選択部１２より入力された信号に対して、中間周波数帯域（Ｂａｎｄ  Ｐａｓｓ）を制限した信号となる。一方、第１０トランスコンダクタンスアンプ９０に入力される信号は、第１フィルタ信号選択部１２より入力された信号に対して、低域の周波数帯域を制限した信号となる。なお、後段回路３４は、信号選択部９４を含むとして説明したが、これにかぎらず、後段回路３４は信号選択部９４を含まないことにより、第１Ｇｍ−Ｃフィルタ部３２から出力されたＢａｎｄＰａｓｓ信号とＬｏｗＰａｓｓ信号をそのまま出力させてもよい。
【００５９】
ここで、第５容量素子７８、第６容量素子８６のそれぞれの容量値をＣ１、Ｃ２とする。また、第６トランスコンダクタンスアンプ７０、第７トランスコンダクタンスアンプ７２、第８トランスコンダクタンスアンプ７４、第９トランスコンダクタンスアンプ７６、第１０トランスコンダクタンスアンプ９０、第１１トランスコンダクタンスアンプ９２のそれぞれの素子面積をＳ１、Ｓ２、Ｓ３、Ｓ４、Ｓ５、Ｓ６とし、それぞれを次式のように関連づける。
Ｃ１：Ｃ２＝１：ｋ  ・・・式（２５）
Ｓ４＋Ｓ５＝ｋ・（Ｓ２＋Ｓ３＋Ｓ６）  ・・・式（２６）
【００６０】
このような態様をとることにより、フィルタの特性はゲート容量による寄生容量に影響されず、また、ｇｍ値の調整によって、フィルタ特性の調整ができることとなる。なお、図７のように、ダミー容量としてのトランスコンダクタンスアンプを付加してもよい。
【００６１】
以上のように、ゲート容量の面積をフィルタの各容量値の比率と一定にすることで、容量素子の寄生容量を含めた容量値を一定に保つことができる。この結果、トランスコンダクタンスアンプのｇｍ値を一律に調整することで、所望のフィルタ特性を得ることができる。また、一般的に、フィルタ特性の誤差を小さくするためには、フィルタの容量値を大きくすることで、相対的にゲート容量を小さくする必要がある。しかしながら、本発明の実施形態においては、ゲート容量を含めたフィルタ特性が所望の特性になるように調整できるため、フィルタの容量値を小さくすることができ、また、回路面積を小さくすることができる。また、容量値を小さくできるため、フィルタ特性を決定するω０、Ｑに影響を与えることなく、トランスコンダクタンスアンプのｇｍ値を小さくできる。その結果、トランスコンダクタンスアンプの消費電流を小さくすることができる。
【００６２】
上述したこれらの構成は、ハードウエア的には、任意のコンピュータのＣＰＵ、メモリ、その他のＬＳＩで実現でき、ソフトウエア的にはメモリのロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００６３】
図９は、図２の中央制御部２０の動作例を示すフローチャートである。まず、状態検知部２６が当該通信装置１００の状態を検知して、電源投入時であるか否かを判定する（Ｓ１０）。電源投入時でない場合（Ｓ１０のＮ）、選択制御部８４は、通常処理として、第１フィルタ信号選択部１２に受信部１０から出力された信号を選択させる（Ｓ１２）。また、第２フィルタ信号選択部１６に能動フィルタ部１４から出力された信号を復調部１８に出力させる。その後、選択制御部８４は、状態検知部２６により、通信装置１００の温度特性の変化を検知されるまで、Ｓ１２の処理を継続する（Ｓ１２、Ｓ１４のＮ）。
【００６４】
一方、Ｓ１０において、電源投入時であると判断された場合（Ｓ１０のＹ）、もしくは、Ｓ１４において、温度特性が変化したと判断された場合（Ｓ１４のＹ）、選択制御部８４は、調整信号選択指示部５８を介して、調整信号生成部２４に複数の調整信号を生成させる。また、選択制御部８４は、いずれかの調整信号を選択させて第１フィルタ信号選択部１２に出力させる（Ｓ１６）。また、選択制御部８４は、調整処理として、第１フィルタ信号選択部１２に調整信号生成部２４から出力された調整信号を選択させる。また、第２フィルタ信号選択部１６に能動フィルタ部１４から出力された信号を当該中央制御部２０に出力させる。この場合、能動フィルタ部１４は、調整信号に対してフィルタ処理を実行する（Ｓ１８）。また、信号強度測定部５０は、第２フィルタ信号選択部１６を介して出力されたフィルタ処理後のそれぞれの調整信号の信号電力を測定する。また、導出部８０は、測定された信号電力の減衰量、および、それらの差異を導出する。
【００６５】
ここで、減衰量の差異が、カットオフ周波数を推定することが困難な程度に、しきい値より小さい場合（Ｓ２０のＮ）、選択制御部８４は、フィルタ信号選択指示部５６を介して、調整信号生成部２４に別の調整信号を出力させる。一方、減衰量の差異がしきい値以上である場合であって（Ｓ２０のＹ）、理想的な差異と比較した場合において、現実の差異が許容範囲内にあると判断された場合（Ｓ２２のＮ）、中央制御部２０は、フィルタ特性の調整の必要がないとして、Ｓ１２の通常処理に移行する。一方、現実の差異が許容範囲外であると判断された場合（Ｓ２２のＹ）、推定部８２は、カットオフ周波数を推定し、調整指示部６０を通じて、能動フィルタ部１４のフィルタ特性を調整する（Ｓ２４）。
【００６６】
本発明の実施形態によると、複数の調整信号を用いてフィルタ特性を調整することによって、プロセスのばらつきや、温度特性の変化などに影響されずに、正確な調整ができる。また、カットオフ周波数と、その周辺の周波数を有する信号とを基準信号とすることによって、より正確にフィルタ特性を調整できる。また、調整信号ごとの減衰量を導出することによって簡易な回路構成でカットオフ周波数を導出でき、フィルタ特性が調整できる。また、調整信号ごとの減衰量の差分が小さく、カットオフ周波数を正確に推定することが困難と判断されるような場合は、別の調整信号を生成させ、それらの減衰量を用いることによって、カットオフ周波数を正確に推定できる。また、複数の調整信号を用いてフィルタ特性を調整することによって、プロセスのばらつきや、温度特性の変化などに影響されずに、正確な調整ができる。また、通信装置１００の状態に応じて、フィルタ調整を実行させることによって、自動的にフィルタの特性を改善できる。また、調整信号ごとの減衰量を導出することによって簡易な回路構成でカットオフ周波数を導出でき、フィルタ特性が調整できる。また、調整信号ごとの減衰量の差分が小さく、カットオフ周波数を正確に推定することが困難と判断されるような場合は、別の調整信号を生成させ、それらの減衰量を用いることによって、カットオフ周波数を正確に推定できる。
【００６７】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００６８】
本発明の実施形態において、２次〜４次のＬＰＦについて言及した。しかしながらこれにかぎらず、５次以上のＬＰＦであってもよく、また、ＨＰＦ（ＨｉｇｈＰａｓｓＦｉｌｔｅｒ）であってもよい。
【図面の簡単な説明】
【００６９】
【図１】本発明の実施形態にかかる通信装置の構成例を示す図である。
【図２】図１の中央制御部の構成例を示す図である。
【図３】図３（ａ）、（ｂ）は、それぞれ、図１の能動フィルタ部のフィルタ特性の例を示す図である。
【図４】図１の能動フィルタ部の構成例を示す図である。
【図５】図５（ａ）〜図５（ｃ）は、図４の第１Ｇｍ−Ｃフィルタ部の構成例を示す図である。
【図６】図４の能動フィルタ部の変形例を示す図である。
【図７】図６の第２Ｇｍ−Ｃフィルタ部の構成例を示す図である。
【図８】図４の能動フィルタ部の別の変形例を示す図である。
【図９】図２の制御部の動作例を示すフローチャートである。
【符号の説明】
【００７０】
１０  受信部、  １２  第１フィルタ信号選択部、  １４  能動フィルタ部、  １６  第２フィルタ信号選択部、  １８  復調部、  ２０  中央制御部、  ２２  周波数発振部、  ２４  調整信号生成部、  ２６  状態検知部、  ３０  電流制御部、  ３２  第１Ｇｍ−Ｃフィルタ部、  ３４  後段回路、  ４４  第２Ｇｍ−Ｃフィルタ部、  ４６  負荷調整部、  ５０  信号強度測定部、  ５２  フィルタ特性調整部、  ５６  フィルタ信号選択指示部、  ５８  調整信号選択指示部、  ６０  調整指示部、  ８０  導出部、  ８２  推定部、  ８４  選択制御部、１００  通信装置。
【図１】
2007181008.tif 000007
【図２】
2007181008.tif 000008
【図３】
2007181008.tif 000009
【図４】
2007181008.tif 000010
【図５】
2007181008.tif 000011
【図６】
2007181008.tif 000012
【図７】
2007181008.tif 000013
【図８】
2007181008.tif 000014
【図９】
2007181008.tif 000015